(57)【特許請求の範囲】
【請求項１】
コンクリートが剥き出しのコンクリート構造物に金網等の適所を止金具を打ち付けて止着することにより金網等を直接、コンクリート構造物に取付けるコンクリート破片の落下防止工法において、上記止め金具が金属板をＵ形状に折曲げて端部に孔をあけた止金具であり、該留め金具で金網等同士を連結したのち、上記孔を通してピンをコンクリート構造物に打ち込んで止着することを特徴とするコンクリート破片の落下防止工法。
【発明の詳細な説明】
【０００１】
【発明が属する技術分野】
本発明は、トンネル、高架の道路や鉄道の橋桁、建造物などコンクリートが剥き出し状態の躯体から劣化したコンクリートの破片が剥離して落下することによる車両や人身事故を防止するために行われるコンクリート破片の落下防止工法に関する。
【０００２】
【従来技術】
コンクリート構造物における、コンクリート破片が落下する危険性のある箇所の点検は従来、作業員がハンマーを手に持って点検箇所を叩き、その打音を聞き分けたり、目視によって行っており、落下の危険性があると判断すると、該箇所のコンクリートをハンマー等ではつって叩き落してから補修するか、該箇所をダイヤモンドカッター等でＶカットして補修しているが、上述の点検をコンクリート構造物の全体に隈なく行うのは、多大な労力と時間がかゝるうえ、費用が嵩み、またトンネルでは点検や補修工事のため交通を遮断せねばならず、新幹線のトンネル内の落下防止工事は、夜間の限られた短い時間内で行わねばならない、などの問題がある。そのため通常は、適当な箇所を抜き取り検査によって点検している実状にあるが、この場合、次の検査が行われるまでの間に劣化したコンクリート破片が剥離して落下したり、抜き取り検査以外の箇所でコンクリ−ト破片が剥離して落下することによる事故が発生する危険性があった。
【０００３】
この問題に対処するため特開２００１−２７１５９６号には、金網をガラス繊維で挟んで、その上下に不織布を積層し、樹脂を含浸させて形成される半透明のシートをエア式張付装置を用いて、コンクリート構造物のジョイント部に押付けながら可視光線を照射して張付け、シートの周縁部をアンカーボルトで固定する工法が提案されている。
【０００４】
【発明が解決しようとする課題】
特開２００１−２７１５９６号のコンクリート破片落下防止工法によると、劣化により剥離したコンクリート破片がシートによって保持され、そのまゝ落下することにより生ずる事故を防ぐことができるが、次のような問題がある。
【０００５】
（１）シートが半透明であるため躯体に形成されるひび割れ等を目視によって確認することが困難で、ひび割れ等を見つけ出したとしても、張り付けられたシートの必要部分を切り取って補修することが容易でないこと、
（２）シートを張り付けるのは、手間及び時間がかかって費用が嵩むこと、
（３）漏水がある場合、漏水箇所を特定することが困難で、止水工事を行うことが容易でないこと、
などである。
【０００６】
本発明は、上記の問題を解消することができるコンクリート破片の落下防止工法を提供することを目的とする。
【０００７】
【課題の解決手段】
本発明は、コンクリートが剥き出しのコンクリート構造物に金網、パンチングメタル等（以下、単に「金網等」という）の適所を止金具を打ち付けて止着することにより金網等を直接、コンクリート構造物に取付けるコンクリート破片の落下防止工法において、上記止め金具が金属板をＵ形状に折曲げて端部に孔をあけた止金具であり、該留め金具で金網等同士を連結したのち、上記孔を通してピンをコンクリート構造物に打ち込んで止着することを特徴とする。
【０００８】
本発明によると、コンクリート破片が剥離して落下するとき、金網等の目のサイズより大きなものが金網等に引っ掛かって保持されること、金網等の目を通してコンクリート躯体の表面を直接、目視によって点検することが可能で、ひび割れ等の有無を容易に確認でき、漏水がある場合も漏水箇所を特定するのが容易にできること、ひび割れや漏水箇所を見付け出すと、金網等を必要部分切り取ってひび割れの補修や止水工事を容易に行うことができること（切り取られた箇所の金網等は、工事終了後、新たな金網等を被せ、止金具を打付けて補修される）、金網等の取付けも必要箇所に止金具を打付けることにより容易に行えること、一つの止金具で金網等をコンクリート躯体に止着すると共に、金網等を連結することができること等の効果を奏する。
【０００９】
【発明の実施の形態】
図１は、本発明で用いる止金具の一例を示すもので、この止金具１は細い金属板をＵ形状に折曲げて端部にコンクリートに打ち込む焼き入れピンを通す孔２があけられ、図２に示すように拡開した開口部５を通して金網３の線３ａが挿入され、釘打機（図示しない）で焼き入れピン４が孔２を通してコンクリートに打ち込んで止着されるようになっている。
【００１０】
金網３は、例えばステンレス製か、防錆用のメッキを施した鋼製で、網の目のサイズは３０〜５０ｍｍ、線３ａの線径は１〜３ｍｍΦとされる。そして好ましくは適当間隔で、図１に示すような止金具１が取付けられ、金網３から脱落しないように開口部が閉じられ、抜け出さないようにしてある。
【００１１】
トンネル内にコンクリート被片落下防止のため金網３を取付るときには、トンネル内壁に金網３を当てがい、適当間隔で図１に示すような止金具１を取付け、釘打機を用いて焼入れピン４をトンネル内壁に打込んで、止金具１を止着し、金網３を取付ける。金網３を連結する継ぎ部分では、止金具１に開口部５を通して両側の金網３の線３ａを挿入し、同様にして止着する。この場合、止金具１は金網３をトンネル内壁に固定する機能と、金網３を連結する機能を有するようになる。
【００１２】
本方法を施工したトンネルでは、トンネル内壁のコンクリートが剥離したとき、網の目のサイズより小さなものは、網の目を通して落下するが、こうしたサイズの小さなものは、仮に車両や通行人に当たるようなことがあっても、事故にはなりにくい。一方、網の目のサイズより大きなものは、金網３で保持される。こうしたコンクリート破片の脱落は、焼入れピン４による止着箇所間の金網３が膨らんで垂れ下がることにより、目視による点検で容易に確認することができる。
【００１３】
補修は、補修箇所の金網３をハサミかサンダーで切り取り、コンクリート破片が剥離した壁面を上述の常法のようにして補修する。補修後、切り取った箇所に新たな金網を上述するようにして取付ける。トンネル内で漏水の止水工事を行うときも同様、漏水箇所の金網を切り取り、止水工事を行う。
【００１４】
上記実施形態では、金網を使用した例を示したが、別の実施形態では金網の代わりにパンチングメタルが使用される。
【００１５】
【発明の効果】
請求項１に係わる発明によると、剥離したコンクリート破片のうち、危険性の少ないサイズの小さなコンクリート破片は、網の目を通して落下するが、危険性の比較的大きなサイズの大きなものは金網等で保持される。そしてコンクリート破片の保持量は、サイズの小さなコンクリート破片が脱落する分、少なくなり、剥離したコンクリート破片を支え易くなる。そのほか、網の目を通してコンクリートの躯体を直接目視により点検することが可能で、ひび割れ箇所や漏水箇所の点検が容易であり、補修や止水工事も金網等を切り取ることにより容易に行え、金網等の取付けも止金具をコンクリート躯体に打ち込むことにより容易に行える。
また一つの止金具で金網等をコンクリート躯体に止着すると共に、金網等を連結する機能を果たすことができる。
【図面の簡単な説明】
【図１】本発明方法で用いる止金具の一例を示す。
【図２】図１に示す止金具を用いて金網を止着した状態を示す要部の拡大平面図。
【符号の説明】
１・・止金具
２・・孔
３・・金網
３ａ・・線
４・・焼入れピン
５・・開口部
【図１】
0003721322.tif 000002
【図２】
0003721322.tif 000003